(57)【要約】【課題】  圧縮映像データの圧縮形式を変換して再圧縮する処理時間を短縮する。【解決手段】  ＤＶ形式で圧縮されたＤＶストリームはＤＶ→ＭＰＥＧ変換再圧縮用情報生成器２に入力されるとともに、記録媒体３に格納される。ＤＶ→ＭＰＥＧ変換再圧縮用情報生成器は、入力されたＤＶストリームに基づいて、ＭＰＥＧ形式で再圧縮する際の量子化スケールの平均値や、Ｉ、Ｐ、Ｂピクチャにそれぞれ符号化する各フレームのビット割り当て情報などの再圧縮情報を生成して記録媒体に格納する。再圧縮情報利用型ＤＶ→ＭＰＥＧ変換器４は、ＤＶ形式で圧縮されたＤＶストリームを非圧縮映像データにデコードし、デコードされた非圧縮映像データを記録媒体から読み出された再圧縮情報に基づいてＭＰＥＧ形式でＭＰＥＧストリームに再圧縮して記録媒体に格納する。【選択図】  図１
2006333392.tif 000002
【特許請求の範囲】
【請求項１】
第１の圧縮形式の映像データを第２の圧縮形式の映像データに再圧縮する映像再圧縮装置において、
前記第１の圧縮形式の映像データを格納するための記録媒体と、
前記第１の圧縮形式の映像データが前記記録媒体に格納されるときに、前記第１の圧縮形式の映像データの圧縮パラメータに基づいて、前記第２の圧縮形式の映像データに再圧縮するための再圧縮パラメータを生成して前記記録媒体に格納する再圧縮パラメータ生成手段と、
前記記録媒体から読み出した前記第１の圧縮形式の映像データを非圧縮映像データに伸長し、前記記録媒体から読み出した前記再圧縮パラメータに基づいて前記非圧縮映像データを前記第２の圧縮形式の映像データに再圧縮する再圧縮手段とを、
備えたことを特徴とする映像再圧縮装置。
【発明の詳細な説明】
【技術分野】
【０００１】
本発明は、圧縮された映像データの圧縮形式を変換して再圧縮する映像再圧縮装置に関する。
【背景技術】
【０００２】
従来例として、例えば第１の圧縮形式で圧縮された圧縮映像データを、画質が劣化することなく圧縮形式を変換して第２の圧縮形式で再圧縮する場合、まず、変換対象の第１の圧縮形式で圧縮された圧縮映像データを記録媒体にいったん格納し、記録媒体に格納されている変換対象を読み出して非圧縮映像データにデコードしてこの非圧縮映像データを第２の圧縮形式に所定の量子化スケールなどの所定の圧縮パラメータで再圧縮する（パス（１））。次いでこの第２の圧縮形式で圧縮された映像データを非圧縮映像データにデコードしてユーザが画質を確認して、劣化する場合には第２の圧縮形式の圧縮パラメータを、画質が劣化しない値に変更して、記録媒体に格納されている変換対象を再度読み出して非圧縮映像データにデコードしてこの非圧縮映像データを第２の圧縮形式に、上記変更したパラメータで再圧縮する（パス（２））。この方式は２パス符号化方式と呼ばれている（例えば下記の特許文献１参照）。
【特許文献１】特開２０００−２６１７９９号（段落０００２）
【発明の開示】
【発明が解決しようとする課題】
【０００３】
しかしながら、２パス符号化方式は、記録媒体に格納されている変換対象を読み出してデコードして第２の圧縮形式にエンコードする処理を２回必要とするので、処理時間が長くなるという問題点がある。
【０００４】
本発明は上記従来例の問題点に鑑み、圧縮された映像データの圧縮形式を変換して再圧縮する処理時間を短縮することができる映像再圧縮装置を提供することを目的とする。
【課題を解決するための手段】
【０００５】
本発明は上記目的を達成するために、第１の圧縮形式の映像データを第２の圧縮形式の映像データに再圧縮する映像再圧縮装置において、
前記第１の圧縮形式の映像データを格納するための記録媒体と、
前記第１の圧縮形式の映像データが前記記録媒体に格納されるときに、前記第１の圧縮形式の映像データの圧縮パラメータに基づいて、前記第２の圧縮形式の映像データに再圧縮するための再圧縮パラメータを生成して前記記録媒体に格納する再圧縮パラメータ生成手段と、
前記記録媒体から読み出した前記第１の圧縮形式の映像データを非圧縮映像データに伸長し、前記記録媒体から読み出した前記再圧縮パラメータに基づいて前記非圧縮映像データを前記第２の圧縮形式の映像データに再圧縮する再圧縮手段とを、
備えたことを特徴とする。
【発明の効果】
【０００６】
本発明によれば、第１の圧縮形式の映像データが記録媒体に格納されるときに、第２の圧縮形式の映像データに再圧縮するための再圧縮情報を生成して記録媒体に格納するので、記録媒体から第１の圧縮形式の映像データと再圧縮情報を読み出し、第１の圧縮形式の映像データを再圧縮パラメータに基づいて第２の圧縮形式の映像データに再圧縮する処理は１回で済むので、圧縮映像データの圧縮形式を変換して再圧縮する処理時間を短縮することができる。
【発明を実施するための最良の形態】
【０００７】
以下、図面を参照して本発明の実施の形態について説明する。
＜第１の実施の形態＞
図１は本発明に係る映像再圧縮装置の第１の実施の形態を示すブロック図である。
【０００８】
図１は一例として、変換対象としてＤＶ（デジタルビデオ）形式で圧縮された映像データをＭＰＥＧ形式で再圧縮する装置を示している。図１において、ＤＶ形式で圧縮されたＤＶストリームは、ＤＶストリーム入力部１を介してＤＶ→ＭＰＥＧ変換再圧縮用情報生成器２に入力するとともに、記録媒体３に格納される。ＤＶ→ＭＰＥＧ変換再圧縮用情報生成器２は、入力したＤＶストリームの圧縮パラメータに基づいて、ＭＰＥＧ形式で再圧縮する際に画質が劣化しない量子化スケールの平均値や、Ｉ、Ｐ、Ｂピクチャにそれぞれ符号化する各フレームのビット割り当て情報などの再圧縮情報を生成して記録媒体３に格納する。
【０００９】
記録媒体３に格納されたＤＶストリームと再圧縮情報は、再圧縮情報利用型ＤＶ→ＭＰＥＧ変換器４に印加される。再圧縮情報利用型ＤＶ→ＭＰＥＧ変換器４は、ＤＶ形式で圧縮されたＤＶストリームを非圧縮映像データにデコードする不図示のＤＶデコーダと、非圧縮映像データをＭＰＥＧ形式で圧縮する不図示のＭＰＥＧエンコーダにより構成され、ＭＰＥＧエンコーダはＤＶデコーダによりデコードされた非圧縮映像データを、記録媒体３から読み出された再圧縮情報に基づいてＭＰＥＧ形式でＭＰＥＧストリームに再圧縮して記録媒体３に格納する。
【００１０】
この構成により、ＤＶストリームを記録媒体３に格納する際に、ＭＰＥＧ形式で再圧縮する際の量子化スケールの平均値、各フレームのビット割り当て情報などの再圧縮情報を生成して記録媒体３に格納するので、記録媒体３に格納されたＤＶストリームを読み出して非圧縮映像データにデコードし、非圧縮映像データをＭＰＥＧ形式で再圧縮する処理は１回で済むので、圧縮映像データの圧縮形式を変換する処理時間を短縮することができる。なお、図１において、記録媒体３に格納されたＤＶストリームとＭＰＥＧストリームは、ＤＶ／ＭＰＥＧ伸長装置５によりデコードしてアナログ信号に変換することにより、アナログ出力６を得ることができるので、再圧縮情報を変更して再々圧縮も可能である。
【００１１】
＜第２の実施の形態＞
図２は本発明に係る映像再圧縮装置の第２の実施の形態として、ＭＰＥＧ−ＴＳ（トランスポート・ストリーム）をＭＰＥＧ−ＰＳ（プログラム・ストリーム）に変換して再圧縮する装置を示すブロック図である。図２において、ＭＰＥＧ−ＴＳ入力部１１を介して入力したＭＰＥＧ−ＴＳは、ＭＰＥＧ再圧縮用情報生成器１２とＭＰＥＧ−ＴＳ→ＰＳ変換装置１７に入力する。
【００１２】
ＭＰＥＧ再圧縮用情報生成器１２は、入力したＭＰＥＧ−ＴＳの圧縮パラメータに基づいて、ＭＰＥＧ−ＰＳに再圧縮する際に画質が劣化しない量子化スケールの平均値や、Ｉ、Ｐ、Ｂピクチャにそれぞれ符号化する各フレームのビット割り当て情報などの再圧縮情報を生成して記録媒体１３に格納する。また、ＭＰＥＧ−ＴＳ→ＰＳ変換装置１７は入力したＭＰＥＧ−ＴＳのパケット構造を変換してＭＰＥＧ−ＰＳに変換して記録媒体１３に格納する。記録媒体３に格納されたＭＰＥＧ−ＰＳと再圧縮情報は、再圧縮情報利用型ＭＰＥＧ再圧縮装置１４に印加される。再圧縮情報利用型ＭＰＥＧ再圧縮装置１４はＭＰＥＧ−ＰＳを非圧縮映像データにデコードし、非圧縮映像データを再圧縮情報に基づいてＭＰＥＧ−ＰＳに再圧縮して記録媒体１３に格納する。
【００１３】
この構成により、記録媒体１３に格納する際に、ＭＰＥＧ−ＴＳのパケット構造を変換してＭＰＥＧ−ＰＳに変換して記録媒体１３に格納するとともに、ＭＰＥＧ−ＰＳ形式で再圧縮する際の量子化スケールの平均値、各フレームのビット割り当て情報などの再圧縮情報を生成して記録媒体１３に格納するので、記録媒体１３に格納されたＭＰＥＧ−ＰＳを読み出して再圧縮する処理は１回で済むので、ＭＰＥＧ−ＴＳをＭＰＥＧ−ＰＳに変換して再圧縮する処理時間を短縮することができる。なお、図２において、記録媒体１３に格納されたＭＰＥＧ−ＰＳは、ＭＰＥＧ−ＰＳ伸長装置１５によりデコードしてアナログ信号に変換することにより、アナログ出力１６を得ることができるので、再圧縮情報を変更して再々圧縮も可能である。
【図面の簡単な説明】
【００１４】
【図１】本発明に係る映像再圧縮装置の第１の実施の形態を示すブロック図である。
【図２】本発明に係る映像再圧縮装置の第２の実施の形態を示すブロック図である。
【符号の説明】
【００１５】
１  ＤＶＤストリーム入力部
２  ＤＶ→ＭＰＥＧ変換再圧縮用情報生成器
３、１３  記録媒体
４  再圧縮情報利用型ＤＶ→ＭＰＥＧ変換器
５  ＤＶ／ＭＰＥＧ伸長装置  
６、１６  アナログ出力
１１  ＭＰＥＧ−ＴＳ入力部
１２  ＭＰＥＧ再圧縮用情報生成器
１４  再圧縮情報利用型ＭＰＥＧ再圧縮装置
１５  ＭＰＥＧ−ＰＳ伸長装置
１７  ＭＰＥＧ−ＴＳ→ＰＳ変換装置
【図１】
2006333392.tif 000003
【図２】
2006333392.tif 000004